(57)【特許請求の範囲】
【請求項１】
演算装置と、入力装置とを具備してなるコンピュータ装置であって、
前記入力装置は、主入力装置とする第１の入力装置と、他の入力装置である第２の入力装置とを少なくとも備え、
初期状態では、前記第１の入力装置が前記演算装置と接続されており、前記第１の入力装置からの入力操作のみを有効とし、
前記第２の入力装置から入力要求があるときには、第１の入力装置からの入力操作の終了を検出した後に、演算装置との接続を前記第１の入力装置から前記第２の入力装置に切り換え、
前記第２の入力装置からの入力操作の終了を検出すると、演算装置との接続を前記第２の入力装置から前記第１の入力装置に切り換える切り換え手段
を備えたことを特徴とするコンピュータ装置。
【請求項２】
第２の入力装置に、第２の入力装置からの入力操作の必要があることを要求する入力操作要求手段を備えた請求項１に記載のコンピュータ装置。
【請求項３】
部品を実装する動作を制御するコンピュータ装置を備えた電子部品実装装置であって、
前記コンピュータ装置は、演算装置と、主入力装置とする第１の入力装置と、他の入力装置である第２の入力装置とを少なくとも備え、
更に、前記コンピュータ装置は、
初期状態では、前記第１の入力装置が前記演算装置と接続されており、前記第１の入力装置からの入力操作のみを有効とし、
前記第２の入力装置から入力要求があるときには、第１の入力装置からの入力操作の終了を検出した後に、演算装置との接続を前記第１の入力装置から前記第２の入力装置に切り換え、
前記第２の入力装置からの入力操作の終了を検出すると、演算装置との接続を前記第２の入力装置から前記第１の入力装置に切り換える切り換え手段
を備えたことを特徴とする電子部品実装装置。
【請求項４】
第１の入力装置は、電子部品実装装置の前面側に配設され、第２の入力装置は、電子部品実装装置の後面側に配設される請求項３に記載の電子部品実装装置。
【請求項５】
演算装置と、入力装置とを具備してなるコンピュータ装置における制御方法であって、
前記入力装置は、主入力装置とする第１の入力装置と、他の入力装置である第２の入力装置とを少なくとも備え、
初期状態では、前記第１の入力装置が前記演算装置と接続されており、前記第１の入力装置からの入力操作のみを有効とし、
前記第２の入力装置から入力要求があるときには、第１の入力装置からの入力操作の終了を検出した後に、演算装置との接続を前記第１の入力装置から前記第２の入力装置に切り換え、
前記第２の入力装置からの入力操作の終了を検出すると、演算装置との接続を前記第２の入力装置から前記第１の入力装置に切り換える
ことを特徴とするコンピュータ装置における制御方法。
【発明の詳細な説明】
【０００１】
【発明の属する技術分野】
本発明は、１台の演算装置に対して複数の入力装置を備えたコンピュータ装置に関し、複数の入力装置の中から１台の入力装置のみを演算装置に接続する切り換え手段を備えると共に、この複数の入力装置と演算装置との間を離隔させた地点に配置しても正常動作させることができるコンピュータ装置とこれを利用した電子部品実装装置、コンピュータ装置における制御方法に関するものである。
【０００２】
【従来の技術】
パーソナルコンピュータと称されるレベルのコンピュータ装置では、入力手段としてキーボードとマウス、トラックボール等のポインティングデバイスとを備えたものが一般的な構成となっている。このようなコンピュータ装置の構成を図８に示す。
【０００３】
図８は、従来技術に係るコンピュータ装置の構成を示す回路図で、演算装置３０と、入力手段としてフルキーボード３１及びマウス３２（またはトラックボール）とを備えて構成されている。前記演算装置３０とキーボード３１及びマウス３２との間は、それぞれ双方向のＴＴＬレベル信号の双方向伝送路２７、２８で接続されている。
【０００４】
演算装置３０にはキーボード３１との間で双方向の信号伝送するための通信制御回路２５ａ、マウス３２との間で双方向の信号伝送するための通信制御回路２６ａが設けられ、キーボード３１に演算装置３０と双方向の信号伝送するための通信制御回路２５ｂ、マウス３２に演算装置３０と双方向の信号伝送するための通信制御回路２６ｂが設けられている。演算装置３０からキーボード３１に制御コマンドを出力するときには、前記通信制御回路２５ａからデータ信号とクロック信号とが出力され、双方向伝送路２７を通じてキーボード３１の通信制御回路２５ｂに入力される。逆に、キーボード３１から演算装置３０にデータを出力するときには、キーボード３１の通信制御回路２５ｂからデータ信号とクロック信号とが出力され、演算装置３０の通信制御回路２５ａに入力される。マウス３２についても同様の信号伝送がなされる。
【０００５】
【発明が解決しようとする課題】
上記のように構成されたコンピュータ装置を電子部品実装装置等の生産設備の制御装置として利用するとき、演算装置の設置場所と、入力装置の設置場所とを数メートル以上離して設置しなければならない場合がある。演算装置と入力装置との間の双方向の信号伝送はシリアル信号伝送であるため、このように演算装置と入力装置とを離して設置する場合には、これらの間の制御信号に周辺機器からのノイズが混入することによる誤動作が発生したり、逆に制御信号が周辺機器に対して電磁障害を与える恐れがある。
【０００６】
また、演算装置に対する入力操作を複数の場所から行いたい要求がある。例えば、電子部品実装装置の場合で説明すると、図２に示すように、電子部品実装装置２０は、その前面と後面とに実装する電子部品が配置され、装置を稼働させる準備を行うときには、作業者はその前後面への電子部品のセッティング等の作業を実行し、実装する回路基板の種別等の動作指令を制御装置であるコンピュータ装置の入力装置から入力する。しかし、電子部品実装装置２０は単体でも大きな設備で、尚且つこれらがライン構成されるため、その前面と後面との間は自由に行き来できないような状態となり、作業効率を上げるためには前面と後面との両側からコンピュータ装置への入力操作ができることが要望されていた。
【０００７】
しかしながら、コンピュータ装置の演算装置と入力装置とは１対１の対応が原則であり、複数台の入力装置が配設されると、一方の入力装置が入力操作を行っているときに、他方の入力装置からも入力操作が行われると、入力操作は無効となってしまう。
【０００８】
本発明は、１台の演算装置に対して複数の入力装置を配置して切り換えにより単独入力操作を可能にするとともに、演算装置と入力装置とを離隔地点に設置した場合にも上記のごとき障害を発生させない信号伝送方法を採用したコンピュータ装置とこれを利用した電子部品実装装置、コンピュータ装置における制御方法を提供することを目的とするものである。
【０００９】
【課題を解決するための手段】
本願の第１発明は、演算装置と、入力装置と、表示装置とを具備してなるコンピュータ装置において、前記演算装置に対して、前記入力装置と表示装置との組み合わせが複数に配備されてなり、入力装置に演算装置に対する入力操作を要求する入力操作要求手段を設けると共に、一入力装置から前記入力操作要求手段により入力操作要求が出力されたとき、他入力装置の入力操作の終了が検出された後に演算装置との接続を他入力装置から一入力装置に切り換える切り換え手段を設けるが、特に、前記入力装置は、主入力装置とする第１の入力装置と、他の入力装置である第２の入力装置とを少なくとも備え、初期状態では、前記第１の入力装置が前記演算装置と接続されており、前記第１の入力装置からの入力操作のみを有効とし、前記第２の入力装置から入力要求があるときには、第１の入力装置からの入力操作の終了を検出した後に、演算装置との接続を前記第１の入力装置から前記第２の入力装置に切り換え、前記第２の入力装置からの入力操作の終了を検出すると、演算装置との接続を前記第２の入力装置から前記第１の入力装置に切り換える切り換え手段を備えたことを特徴とする。
【００１０】
上記構成によれば、演算装置に対して第１、第２の入力装置を配置して、切り換え手段により第１の入力装置を優先しながら１つの入力装置のみを演算装置に接続できるので、必要とする２つの場所に入力装置と表示装置との組み合わせを配置しても、演算装置と入力装置との１対１の対応が１つの入力装置を優先してなされる。具体的には、前記切り換え手段は、初期状態では、前記第１の入力装置が前記演算装置と接続されており、前記第１の入力装置からの入力操作のみを有効とし、前記第２の入力装置から入力要求があるときには、第１の入力装置からの入力操作の終了を検出した後に、演算装置との接続を前記第１の入力装置から前記第２の入力装置に切り換え、前記第２の入力装置からの入力操作の終了を検出すると、演算装置との接続を前記第２の入力装置から前記第１の入力装置に切り換えるので、複数の入力装置があっても進行中の入力操作に支障を生じさせることはない。大型の生産設備の制御においては、複数の場所から演算装置に入力操作を行いたい場合があり、このような要求に有効に適用させることができる。
【００１１】
また、本願の第２発明は、部品を実装する動作を制御するコンピュータ装置を備えた電子部品実装装置であって、前記コンピュータ装置は、演算装置と、主入力装置とする第１の入力装置と、他の入力装置である第２の入力装置とを少なくとも備え、更に、前記コンピュータ装置は、初期状態では、前記第１の入力装置が前記演算装置と接続されており、前記第１の入力装置からの入力操作のみを有効とし、前記第２の入力装置から入力要求があるときには、第１の入力装置からの入力操作の終了を検出した後に、演算装置との接続を前記第１の入力装置から前記第２の入力装置に切り換え、前記第２の入力装置からの入力操作の終了を検出すると、演算装置との接続を前記第２の入力装置から前記第１の入力装置に切り換える切り換え手段を備えたことを特徴とし、本願の第１の発明のコンピュータ装置の利点を電子部品実装装置での動作制御にて発揮できる。
【００１３】
更に、本願の第３発明は、第１の発明によって、演算装置と、入力装置とを具備してなるコンピュータ装置における制御方法として提供するので、前記入力装置は、主入力装置とする第１の入力装置と、他の入力装置である第２の入力装置とを少なくとも備え、初期状態では、前記第１の入力装置が前記演算装置と接続されており、前記第１の入力装置からの入力操作のみを有効とし、前記第２の入力装置から入力要求があるときには、第１の入力装置からの入力操作の終了を検出した後に、演算装置との接続を前記第１の入力装置から前記第２の入力装置に切り換え、前記第２の入力装置からの入力操作の終了を検出すると、演算装置との接続を前記第２の入力装置から前記第１の入力装置に切り換えることを特徴とする。
【００１７】
【発明の実施の形態】
以下、添付図面を参照して本発明の一実施形態について説明し、本発明の理解に供する。尚、以下に示す実施形態は本発明を具体化した一例であって、本発明の技術的範囲を限定するものではない。
【００１８】
図１は本発明の第１の実施形態に係るコンピュータ装置の構成を示すブロック図、図２は本実施形態に係るコンピュータ装置を制御装置として適用した電子部品実装装置の前面外観（ａ）と後面外観（ｂ）とを示す斜視図である。
【００１９】
図１において、第１の実施形態に係るコンピュータ装置１は、図２に示す電子部品実装装置２０の実装動作を制御する制御装置として構成されており、演算装置Ａと、電子部品実装装置２０の前面側に配設される第１の入力装置Ｂ１と、電子部品実装装置２０の後面側に配設される第２の入力装置Ｂ２とを備えて構成されている。
【００２０】
コンピュータ装置１を電子部品実装装置２０のような生産設備の制御装置として利用するとき、演算装置Ａと入力装置Ｂ１、Ｂ２とを離れた位置に設置せざるを得ない場合がある。更に、入力装置Ｂ１、Ｂ２の２か所から入力操作を行いたい場合に、一般的な使用状態とは異なった使用状態に設定しなければならない。
【００２１】
生産設備の設置場所は、周囲に他の生産設備や付帯設備等が存在し、コンピュータ装置１に悪影響を及ぼすノイズ発生源の多い環境であると同時に、コンピュータ装置１からの不要輻射が周囲の設備に電磁障害を及ぼすことにもなりかねない。従って、コンピュータ装置１の演算装置Ａと入力装置Ｂ１、Ｂ２との間の信号伝送路が長くなる場合には、ノイズの影響を受けず、ノイズを輻射しないような構成が必要である。更に、演算装置Ａに対して２か所から入力操作を行うときには、２か所から同時に入力操作を行うことはできず、また、単純に切り換え操作を行うだけでは互いの入力操作に障害を与えることになる。本実施形態に係るコンピュータ装置１は、上記したような生産設備の制御装置として使用する場合の特別な状態に対応する構成を備えている。
【００２２】
前記第１の入力装置Ｂ１及び第２の入力装置Ｂ２は、それぞれキーボード２と、マウス（ポインティングデバイス）３と、表示装置４とを備えて構成されている。本コンピュータ装置１では、１つの演算装置Ａに対して２つの入力装置Ｂ１、Ｂ２が存在するため、切り換えによって第１の入力装置Ｂ１または第２の入力装置Ｂ２が演算装置Ａに接続される。本実施形態の場合は、図２（ａ）に示すように、電子部品実装装置２０の前面に配設された第１の入力装置Ｂ１を主入力装置とし、図２（ｂ）に示すように、電子部品実装装置２０の後面に配設された第２の入力装置Ｂ２は、入力操作要求を行って、第１の入力装置Ｂ１の入力操作が終了していることが検出された後、演算装置Ａに対する接続が第１の入力装置Ｂ１から第２の入力装置Ｂ２に切り換えられる。前記入力操作要求は、第２の入力装置Ｂ２に設けられた入力要求スイッチ（入力操作要求手段）１３によって行うことができる。この演算装置Ａに対する接続を第１の入力装置Ｂ１または第２の入力装置Ｂ２に切り換える切り換え動作の制御については、演算装置Ａと第１及び第２の入力装置Ｂ１、Ｂ２との間の信号伝送の構成を説明した後に説明する。
【００２３】
上記構成になるコンピュータ装置１の演算装置Ａと第１の入力装置Ｂ１及び第２の入力装置Ｂ２との間は、通常の配設位置関係に比べて離れた距離位置に配設されるので、その間の信号伝送路からのノイズの混入を防止すると共に、伝送線路の数を削減するための信号伝送の構成がなされている。
【００２４】
第１及び第２の入力装置Ｂ１、Ｂ２が備えるキーボード２、マウス３と、演算装置Ａとの間の信号伝送は、それぞれ双方向信号伝送となるが、キーボード２とマウス３とに対応する２つの双方向信号は、演算装置Ａへの送信方向においては、信号混合回路９により混合されて１つの双方向信号に変換され、１つの双方向信号は信号分離回路１０により送信信号と受信信号との単方向信号に変換され、ラインドライバ（平衡信号変換回路）１１及びラインレシーバ（平衡信号変換回路）１２により平衡信号伝送路２１に接続される。逆に、演算装置Ａからの受信方向においては、平衡信号伝送路２１からの平衡信号はラインレシーバ１２で単方向信号に変換され、単方向信号は信号分離回路１０により１つの双方向信号に変換され、信号混合回路９により混合が解除されてキーボード２及びマウス３それぞれに対応する２つの双方向信号に変換される。
【００２５】
一方、演算装置Ａのシステムバスに接続されたキーボード用インタフェース１８と、マウス用インタフェース１７とに対応する２つの双方向は、第１及び第２の入力装置Ｂ１、Ｂ２への送信方向においては、信号混合回路１５により混合されて１つの双方向信号に変換され、１つの双方向信号は信号分離回路１６により送信信号と受信信号との単方向信号に変換され、切り換え制御回路１４を経て、第１の入力装置Ｂ１にはラインドライバ５で平衡信号伝送路２１に接続され、第２の入力装置Ｂ２にはラインドライバ７で平衡信号伝送路２１に接続される。逆に、第１及び第２の入力装置Ｂ１、Ｂ２からの受信方向においては、平衡信号伝送路２１からの平衡信号はラインレシーバ６または８で単方向信号に変換され、単方向信号は信号分離回路１６により１つの双方向信号に変換され、信号混合回路１５により混合が解除されてキーボード用インタフェース１８及びマウス用インタフェース１７それぞれの２つの双方向信号に変換される。
【００２６】
図３は、演算装置Ａ側の信号混合回路１５及び信号分離回路１６の構成を示す回路図である。
【００２７】
図３において、演算装置Ａからキーボード２またはマウス３に制御コマンドを出力するときは、演算装置Ａのキーボード用インタフェース１８またはマウス用インタフェース１７から出力された２つの非同期の送信信号は、信号混合回路１５内の混合制御ＬＳＩ１５ａに入力され、予め設定された変換手順により２つの送信信号が１つの送信信号に変換される。逆に、キーボード２またはマウス３からのデータ入力は混合制御ＬＳＩ１５ａにより、予め設定された変換手順により１つの受信信号をデータ信号とクロック信号とで構成された２つの受信信号に変換され、キーボード用インタフェース１８及びマウス用インタフェース１７に出力される。
【００２８】
前記混合制御ＬＳＩ１５ａによる信号の混合動作は、図４に示すように、時分割で転送することによって行われる。演算装置Ａからキーボード２への送信信号、キーボード２から演算装置Ａへの送信信号、演算装置Ａからマウス３への送信信号、マウス３から演算装置Ａへの送信信号を一定の同期タイミングで時分割する。同図において、同期（１）は演算装置Ａからキーボード２へ向けての送信信号を出力するタイミングであり、同期（２）はキーボード２から演算装置Ａへ向けて送信信号を出力するタイミングであり、同期（３）は演算装置Ａからマウス３へ向けての送信信号を出力するタイミングであり、同期（４）はマウス３から演算装置Ａへ向けて送信信号を出力するタイミングである。以降は同期（１）から（４）までを繰り返す。
【００２９】
図３に示す信号分離回路１６は、前記信号混合回路１５によって変換された１つの双方向信号を単方向信号に変換し、逆に単方向信号を１つの双方向信号に変換する動作を行う。演算装置Ａからキーボード２またはマウス３へ信号伝送するときは、１つの双方向信号は分離制御ＬＳＩ１６ａによって予め設定された通信手順と通信速度に準じて入力されたデータ信号に通信制御用のコマンドを付加して送信信号として出力する。一方、第１または第２の入力装置Ｂ１、Ｂ２からの受信信号は、分離制御ＬＳＩ１６ａに入力され、予め設定された通信手順と通信速度に準じて受信信号から通信制御用コマンドを削除して演算装置Ａへの入力データとし、データ信号とクロック信号とを信号混合回路１５に出力する。
【００３０】
第１及び第２の入力装置Ｂ１、Ｂ２側の信号混合回路９及び信号分離回路１０も同様に構成されており、キーボード２及びマウス３の２つの双方向信号と１つの双方向信号との間の変換、双方向信号と単方向信号との間の変換が行なわれる。
【００３１】
図５は、送信信号と受信信号との単方向信号を平衡信号伝送路で接続するための構成を示す回路図である。
【００３２】
演算装置Ａと第１の入力装置Ｂ１との間の信号伝送は、ラインドライバ５とラインレシーバ１２、ラインドライバ１１とラインレシーバ６、それぞれの間をツイストペア線で形成した平衡信号伝送路２１、２１で接続し、演算装置Ａと第２の入力装置Ｂ２との間の信号伝送は、ラインドライバ７とラインレシーバ１２、ラインドライバ１１とラインレシーバ８、それぞれの間を平衡信号伝送路２１、２１で接続して、それぞれ単方向信号を平衡信号として伝送できるように構成されている。
【００３３】
この平衡信号伝送における前記ラインレシーバ６、８及び１２は、差動アンプとして構成されているのでコモンモードノイズは除去され、前記平衡信号伝送路２１は、より平衡度の高い２対のツイストペア線が用いられているのでノーマルモードノイズが乗りにくく、耐ノイズ性に優れた信号伝送を行うことができ、信号伝送の距離が長くなった場合にも外来ノイズによる誤動作や不要輻射による周辺機器への影響を排除することができる。
【００３４】
従って、上記構成により、演算装置Ａと第１及び第２の入力装置Ｂ１、Ｂ２との間は平衡信号伝送路２１で接続されるので、周辺機器からのノイズによる影響を受け難く、また、逆に周辺機器に電磁障害を与えないので、生産設備内で演算装置Ａと第１及び第２の入力装置Ｂ１、Ｂ２とを離隔地点に設置したような場合でも正常な動作を確保できる。
【００３５】
演算装置Ａと第１及び第２の入力装置Ｂ１、Ｂ２との間の信号伝送は、図６に示すように、前記ラインドライバ５、７及び１１を電気信号−光信号変換回路３４、３５及び３８、前記ラインレシーバ６、８及び１２を光信号−電気信号変換回路３６、３７及び３９に置き換え、平衡信号伝送路２１を光ケーブル４０に置き換えて、信号伝送を光信号で伝送するように構成することもできる。
【００３６】
光信号による信号伝送は、信号伝送路を電気的に絶縁することになるので、原理的にコモンモードノイズを除去することができ、平衡信号伝送において除去できないような大きなコモンモードノイズに対しても有効に作用する。従って、ノイズ発生源の多い生産設備等に演算装置Ａと入力装置Ｂとを離隔地点に設置したような状態でも、周辺機器からのノイズの影響を受け難く、特に大きな誘導ノイズの発生源があるような環境では有効である。また、光信号伝送は原理的からも電磁輻射を発生させないので、周辺機器に電磁障害を与えることがない。
【００３７】
尚、上記電気信号を光信号に変換して信号伝送路を絶縁する構成は、信号伝送回路中にフォトカプラを介在させることによっても実施できる。
【００３８】
次に、演算装置Ａに２台の入力装置Ｂ１、Ｂ２を切り換え接続する構成及び制御動作について説明する。
【００３９】
図１において、本構成になるコンピュータ装置１では、１台の演算装置Ａに対して、第１の入力装置Ｂ１及び第２の入力装置Ｂ２が存在するが、演算装置Ａに入力操作できるのは、いずれか一方であり、この切り換えは、演算装置Ａに設けられた切り換え制御回路１４によって制御される。この切り換え制御回路１４による第１の入力装置Ｂ１と第２の入力装置Ｂ２との切り換え制御の動作について、図７に示すフローチャートを参照して説明する。尚、同図に示すＳ１、Ｓ２…は、制御手順を示すステップ番号で、本文に添記する番号と一致する。
【００４０】
図１に示すように、切り換え制御回路１４には、第１の入力装置Ｂ１に接続するラインドライバ５とラインレシーバ６、第２の入力装置Ｂ２に接続するラインドライバ７とラインレシーバ８が接続されており、切り換え制御回路１４は入力操作を有効とする側の信号伝送のみを通過させて信号分離回路１６に接続する。
【００４１】
コンピュータ装置１の電源が投入された初期状態では、電子部品実装装置２０の前面に配設された第１の入力装置Ｂ１を主入力装置とするため、第１の入力装置Ｂ１の入力操作が有効となり（Ｓ１）、切り換え制御回路１４はラインレシーバ６とラインドライバ５とを信号分離回路１６に接続する。このときラインレシーバ８及びラインドライバ７と、信号分離回路１６との接続は断たれているので、第２の入力装置Ｂ２の入力操作は無効となって入力操作はできない（Ｓ２）。
【００４２】
有効となっている第１の入力装置Ｂ１による入力操作だけであれば、キーボード２またはマウス３による入力操作に伴う伝送信号の送受信がなければ、この制御動作は終了となる（Ｓ３）。
【００４３】
第２の入力装置Ｂ２において入力操作の必要があるときには、入力要求スイッチ１３をオンに操作すると（Ｓ４）、オン動作信号は切り換え制御回路１４に入力される。このとき、切り換え制御回路１４は入力要求を一時保持して、現在有効となっている第１の入力装置Ｂ１との間の信号の送受信の有無を検出し（Ｓ５）、第１の入力装置Ｂ１の送受信の終了が検知されたとき、入力要求した第２の入力装置Ｂ２の入力操作を有効とし（Ｓ６）、第１の入力装置Ｂ１の入力操作を無効とする（Ｓ７）。
【００４４】
有効となった第２の入力装置Ｂ２での入力操作が終了したとき、前記入力要求スイッチ１３を再びオンに操作すると（Ｓ８）、切り換え制御回路１４にオン動作信号が再び入力されるので、切り換え制御回路１４は先と同様に第２の入力装置Ｂ２との間の送受信信号の有無から終了を検知して（Ｓ９）、第２の入力装置Ｂ２による送受信を無効とし、第１の入力装置Ｂ１による入力操作を有効とする（Ｓ１）。
【００４５】
従って、コンピュータ装置１の終了動作は、第１の入力装置Ｂ１の操作が有効となっている状態で終了することができる。図１に示す信号伝送経路の太線表示は、第１の入力装置Ｂ１が有効となった状態での、演算装置Ａと第１の入力装置Ｂ１との伝送信号の送受信経路を示している。
【００４６】
尚、本構成では、第２の入力装置Ｂ２に入力要求スイッチ１３を設けて構成しているが、第１及び第２の入力装置Ｂ１、Ｂ２の両方に入力要求スイッチ１３を設けて、入力要求した側の入力操作を他方の入力操作の終了検知の後に有効とするように構成することもできる。
【００４７】
以上説明した本実施形態に係るコンピュータ装置１は、電子部品実装機２０に適用した例を示したが、パーソナルコンピュータとしての一般的な使用や、他の機械装置の制御に使用する場合等においても、１つの演算装置に対して複数の入力装置を配置したい場合や、演算装置と入力装置との距離を離して設置したい場合に適用することができる。
【００４８】
【発明の効果】
以上の説明の通り本願の第１、第３の発明によれば、切り換え手段が、初期状態では、前記第１の入力装置が前記演算装置と接続されており、前記第１の入力装置からの入力操作のみを有効とし、前記第２の入力装置から入力要求があるときには、第１の入力装置からの入力操作の終了を検出した後に、演算装置との接続を前記第１の入力装置から前記第２の入力装置に切り換え、前記第２の入力装置からの入力操作の終了を検出すると、演算装置との接続を前記第２の入力装置から前記第１の入力装置に切り換えるので、複数の入力装置があっても進行中の入力操作に支障を生じさせることはない。大型の生産設備の制御においては、複数の場所から演算装置に入力操作を行いたい場合があり、このような要求に有効に適用させることができる。
【００４９】
また、本願の第２発明によれば、第１の発明の特徴を電子部品実装装置での動作制御に生かすことができる。
【図面の簡単な説明】
【図１】本発明の一実施形態に係るコンピュータ装置の構成を示すブロック図。
【図２】コンピュータ装置を制御装置として適用した電子部品実装機の前面外観（ａ）と後面外観（ｂ）とを示す斜視図。
【図３】信号混合回路と信号分離回路との構成を示す回路図。
【図４】信号混合回路による時分割のタイミングを説明する同期タイミング図。
【図５】平衡信号伝送の構成を示す回路図。
【図６】光信号伝送の構成を示す回路図。
【図７】切り換え制御回路の制御手順を示すフローチャート。
【図８】従来構成になるコンピュータ装置の構成を示す回路図。
【符号の説明】
１  コンピュータ装置
２  キーボード
３  マウス（ポインティングデバイス）
４  表示装置
５、７、１１  ラインドライバ（平衡信号変換回路）
６、８、１２  ラインレシーバ（平衡信号変換回路）
９、１５  信号混合回路
１０、１６  信号分離回路
１３  入力要求スイッチ（入力操作要求手段）
１４  切り換え制御回路（切り換え制御手段）
２１  平衡信号伝送路
３４、３５、３８  電気信号−光信号変換回路
３６、３７、３９  光信号−電気信号変換回路
４０  光ケーブル
Ａ  演算装置
Ｂ１  第１の入力装置
Ｂ２  第２の入力装置
【図１】
0003983330.tif 000002
【図２】
0003983330.tif 000003
【図３】
0003983330.tif 000004
【図４】
0003983330.tif 000005
【図５】
0003983330.tif 000006
【図６】
0003983330.tif 000007
【図７】
0003983330.tif 000008
【図８】
0003983330.tif 000009